(57)【要約】【課題】舞台や野外ステージなどの設営時におけるワイヤレスマイクロホンの通信状況の確認作業をひとりの作業者によって行うことができるようにする。【解決手段】受信機にて受信されたワイヤレスマイクロホンからの無線信号の受信レベルを表示するにあたって、所定時間内に受信機にて受信されるワイヤレスマイクロホンのＲＦレベル信号をＡ／Ｄコンバータ１０でディジタルに変換する。ＣＰＵ２０は、モニタ画面３０にバーグラフ状のＲＦレベルメータ３１を表示し、Ａ／Ｄコンバータ１０でディジタルに変換されたＲＦレベルデータの中から最低ＲＦレベルデータをホールドして、その最低ＲＦレベルをＲＦレベルメータ３１に表示する。【選択図】  図１
2004214757.tif 000002
【特許請求の範囲】
【請求項１】
受信機にて受信されたワイヤレスマイクロホンからの無線信号の受信レベルを表示する受信機の受信レベル表示方法において、
所定時間内に上記受信機にて受信される上記無線信号の最低ＲＦレベルをホールドして、その最低ＲＦレベルを所定の表示手段に表示させることを特徴とする受信機の受信レベル表示方法。
【請求項２】
受信機にて受信されたワイヤレスマイクロホンからの無線信号の受信レベルを表示する受信機の受信レベル表示装置において、
上記受信機にて受信された上記無線信号のＲＦレベルをディジタルデータに変換するＡ／Ｄコンバータと、上記Ａ／Ｄコンバータにて変換されたＲＦレベルデータを所定時間監視し、その中から最低ＲＦレベルデータをホールドするホールド手段と、上記最低ＲＦレベルデータをモニタ画面に表示させる表示制御手段とを備えていることを特徴とする受信機の受信レベル表示装置。
【請求項３】
上記表示制御手段は、上記モニタ画面にバーグラフ状のＲＦレベルメータを表示し、上記最低ＲＦレベルデータを上記ＲＦレベルメータ上に所定の形態で表示させる請求項２に記載の受信機の受信レベル表示装置。
【発明の詳細な説明】
【０００１】
【発明の属する技術分野】
本発明は、受信機の受信レベル表示方法およびその装置に関し、さらに詳しく言えば、ワイヤレスマイクロホンから送信される無線信号のＲＦレベルを表示する技術に関するものである。
【０００２】
【従来の技術】
多くの場合、音声機器用の受信機には、ＲＦ（Ｒａｄｉｏ  Ｆｒｅｑｕｅｎｃｙ）レベルメータが設けられており、その中にはホールド機能を備えているものがある。しかしながら、そのホールド機能は、所定時間内の最大ＲＦレベルをホールドして表示するものであるため、ワイヤレスマイクロホンの受信機においては、次のような問題があった。
【０００３】
【発明が解決しようとする課題】
例えば、広い野外ステージや舞台などで、電波式や赤外線式のワイヤレスマイクロホンを使用する場合、事前にワイヤレスマイクロホンを移動させて受信状況を調べて、マイクロホンの送信出力を調整したり、受信機の設置場所などを決めるようにしている。
【０００４】
このとき、ＲＦレベルメータのホールド機能を使用するのであるが、従来のホールド機能では、ワイヤレスマイクロホンが移動した範囲内で、もっとも受信状態が良好なときのレベル（最大ＲＦレベル）がホールドされるため、そのワイヤレスマイクロホンの移動範囲内で通信が困難になるような受信状態が発生したかどうかは知ることができない。
【０００５】
そのため、ワイヤレスマイクロホンの電波もしくは赤外線による通信状態を確かめるには、ワイヤレスマイクロホンを持って実際に音を出しながら舞台やステージ上を移動し、その場所でスピーカからの音を聞いて通信状態を確かめたり、あるいは最低二人一組として、その内のひとりにマイクロホンを持たせて舞台やステージ上を移動させ、残りのひとりが受信機のＲＦレベルメータを監視しながら、通信状態を確かめるようにしている。
【０００６】
本発明は、上記した舞台や野外ステージなどの設営時における煩わしさを解決するためになされたもので、その目的は、ワイヤレスマイクロホンを持って電波や赤外線を出しながら舞台やステージ上を移動するだけで、その通信状況を確認できるようにすることにある。
【０００７】
【課題を解決するための手段】
上記目的を達成するため、本願の第１発明は、受信機にて受信されたワイヤレスマイクロホンからの無線信号の受信レベルを表示する受信機の受信レベル表示方法において、所定時間内に上記受信機にて受信される上記無線信号の最低ＲＦレベルをホールドして、その最低ＲＦレベルを所定の表示手段に表示させることを特徴としている。
【０００８】
また、本願の第２発明は、上記第１発明に用いられる受信機の受信レベル表示装置であって、上記受信機にて受信された上記無線信号のＲＦレベルをディジタルデータに変換するＡ／Ｄコンバータと、上記Ａ／Ｄコンバータにて変換されたＲＦレベルデータを所定時間監視し、その中から最低ＲＦレベルデータをホールドするホールド手段と、上記最低ＲＦレベルデータをモニタ画面に表示させる表示制御手段とを備えていることを特徴としている。
【０００９】
最低ＲＦレベルデータをモニタ画面に表示させるにあたって、数値によって最低ＲＦレベルデータを表示させてもよいが、受信状態（通信状態）を視角的に把握するうえで、モニタ画面にバーグラフ状のＲＦレベルメータを表示し、最低ＲＦレベルデータをＲＦレベルメータ上に所定の形態（例えば、点滅表示）で表示させることが好ましい。
【００１０】
【発明の実施の形態】
次に、図１により、本発明の実施形態について説明する。本発明の受信機は、ワイヤレスマイクロホンから送信される無線信号を受信する受信機で、図示しないが、その全体構成としては、一般の受信機と同じく、アンテナ，チューナ，復調回路それにスピーカ駆動回路などを備えている。通信方式は、電波，赤外線のいずれであってもよく、赤外線の場合にはアンテナに代えて赤外線受光器が用いられる。
【００１１】
図１は、受信機に組み込まれる受信レベル表示装置を示すブロック線図で、例えば復調回路から得られるＲＦレベル信号をディジタルに変換するＡ／Ｄコンバータ１０と、Ａ／Ｄコンバータ１０によってディジタルに変換されたＲＦレベルデータをモニタ画面３０に表示する表示手段としてのＣＰＵ２０と、ＣＰＵ２０にホールド指示信号などを与えるホールド制御部４０とを備えている。
【００１２】
ＣＰＵ２０は、モニタ画面３０にバーグラフ状のＲＦレベルメータ３１を表示する。ＲＦレベルメータ３１は、一列状に並べられた複数の表示ブロックを有し、ＲＦレベルデータの値を長さによって表示する。
【００１３】
ホールド制御部４０は、作業者によって操作される操作部でもあり、例えばホールドする対象やＲＦレベルの監視時間などがセットされる。本発明では、最低ＲＦレベルデータをホールドするようにセットされる。ＲＦレベルの監視時間は、作業者によって任意にセットされる。
【００１４】
例えば、野外ステージの設営にあたって、ワイヤレスマイクロホンの通信状況を確認する場合、ホールド制御部４０にて図示しないスイッチにより監視オンとした後、ワイヤレスマイクロホンを送信状態として電波（もしくは赤外線）を出しながらステージを一周して戻ってきたら、監視オフとする。
【００１５】
この間、ＣＰＵ２０は、Ａ／Ｄコンバータ１０から出力されるＲＦレベルデータをＲＦレベルメータ３１に表示するとともに、ＲＦレベルデータを順次比較し、常に最も低いレベルのＲＦレベルデータ（最低ＲＦレベルデータ）をホールドする。
【００１６】
そして、監視オフとされた時点で、ＲＦレベルメータ３１に最低ＲＦレベルデータ３１ａを例えば点滅表示させる。これにより、ワイヤレスマイクロホンの通信状況の確認をひとりで行うことができ、作業効率の改善が図られる。なお、監視中に、常時、そのときどきの最低ＲＦレベルデータ３１ａを表示させることもできる。
【００１７】
また、ＲＦレベルの監視時間は、タイマーにより「今から何分間」などのように設定するようにしてもよい。また、モニタ画面がカラー表示である場合には、最低ＲＦレベルデータの表示部分の色を変えてもよい。さらには、バーグラフではなく、最低ＲＦレベルデータを例えばデシベルの数値で表示してもよい。また、場合によっては、最低ＲＦレベルデータだけでなく、最高レベルデータを併せて表示するようにしてもよい。
【００１８】
【発明の効果】
以上説明したように、本発明によれば、受信機にて受信されたワイヤレスマイクロホンからの無線信号の受信レベルを表示するにあたって、所定時間内に受信機にて受信される上記無線信号の最低ＲＦレベルをホールドして、その最低ＲＦレベルを表示するようにしたことにより、ワイヤレスマイクロホンを持って送信状態にして舞台やステージ上を移動するだけで、その通信状況の確認をひとりの作業者によって行うことができ、舞台や野外ステージなどの設営時における煩わしさが解決される。
【図面の簡単な説明】
【図１】本発明の実施形態を示す概略的なブロック線図。
【符号の説明】
１０  Ａ／Ｄコンバータ
２０  ＣＰＵ（表示制御手段）
３０  モニタ画面
３１  ＲＦレベルメータ
４０  ホールド制御部
【図１】
2004214757.tif 000003